(57)【要約】【課題】棒状ライトの形態で使用される利便性の高い表示装置を提供することにある。【解決手段】実施形態によれば、透光性を有する筒状部分と当該筒状部分に接続されるグリップ部分とを備える表示装置が提供される。筒状部分の内部には、表示パネルが配置される。グリップ部分は、表示パネルに画像を表示する表示制御部を有する。【選択図】図２
2020012877.tif 000002
【特許請求の範囲】
【請求項１】
透光性を有する筒状部分と当該筒状部分に接続されるグリップ部分とを備える表示装置において、
前記筒状部分の内部には、表示パネルが配置され、
前記グリップ部分は、前記表示パネルに画像を表示する表示制御部を有する
表示装置。
【請求項２】
前記表示パネルは、一対の透明基板の間に液晶層が配置された液晶表示パネルである請求項１記載の表示装置。
【請求項３】
前記筒状部分の内部には、表示面が当該筒状部分の外部から視認されるように少なくとも２つ以上の表示パネルが配置されている請求項２記載の表示装置。
【請求項４】
前記グリップ部分には、光源部が配置されており、
前記筒状部分の内部には、前記光源部からの光を前記少なくとも２つ以上の表示パネルに照明するための導光部が配置されており、
前記少なくとも２つ以上の表示パネルは、前記導光部を共用する
請求項３記載の表示装置。
【請求項５】
前記表示パネルは、可撓性を有するフレキシブル表示パネルであり、
前記フレキシブル表示パネルは、前記筒状部分の形状に応じて変形されて当該筒状部分の内部に配置される
請求項１記載の表示装置。
【請求項６】
前記表示パネルは、一対の透明基板の間に高分子分散型液晶を有する光変調層が配置された高分子分散型液晶表示パネルである請求項１記載の表示装置。
【請求項７】
前記筒状部分の内部には、表示面が重畳するように、少なくとも２つ以上の表示パネルが配置されている請求項６記載の表示装置。
【請求項８】
前記２つ以上の表示パネルのうちの少なくとも１つの表示パネルは、予め定められた画像を表示するように配置された固定電極を含む請求項７記載の表示装置。
【請求項９】
前記固定電極を含む表示パネルは、パッシブ方式により駆動される請求項８記載の表示装置。
【請求項１０】
前記筒状部分の内部には、表示面が重畳するように、少なくとも３つ以上の表示パネルが配置されており、
前記重畳されて配置される３つ以上の表示パネルのうち、当該表示パネルが重畳する方向の両端に位置する表示パネルは、アクティブ方式により駆動され、
前記重畳されて配置される３つ以上の表示パネルのうち、当該表示パネルが重畳する方向の両端に位置する表示パネル以外の表示パネルは、パッシブ方式により駆動される
請求項６記載の表示装置。
【請求項１１】
前記グリップ部分は、メモリ及び切り替え部を更に有し、
前記メモリは、前記表示パネルに画像を表示するための複数の表示パターンを含む表示パターン情報を予め格納し、
前記表示制御部は、前記表示パターン情報に含まれる複数の表示パターンのうち、前記切り替え部に対する操作に応じた表示パターンに従って前記表示パネルに画像を表示する
請求項１〜１０のいずれか一項に記載の表示装置。
【発明の詳細な説明】
【技術分野】
【０００１】
本発明の実施形態は、表示装置に関する。
【背景技術】
【０００２】
一般的に、コンサート等のイベントにおいては、棒状の形状を有するライト（以下、棒状ライトと表記）が使用される場合がある。
【０００３】
この棒状ライトは、例えばプラスチック等で形成された透光性を有する筒状部分と、当該筒状部分に接続されるグリップ部分とから構成される。
【０００４】
グリップ部分には例えばＬＥＤ等の光源部が設けられており、当該光源部からの光を筒状部分の側面で散乱させることによって、当該筒状部分（つまり、棒状ライト）を発光させることができる。
【０００５】
なお、近年では、例えば筒状部分の表面に印刷を施すまたは印刷が施されたプレート等を筒状部分の内部に配置することによって、筒状部分を発光させた際に独自の模様、ロゴまたはイラスト等が視認可能となるような棒状ライトが開発されている。
【０００６】
しかしながら、このような棒状ライトの場合には視認される内容（模様、ロゴまたはイラスト等）を変更することが困難であり、利便性が低い。
【先行技術文献】
【特許文献】
【０００７】
【特許文献１】特許第５８４０２５２号公報
【特許文献２】特許第６０３８７３６号公報
【特許文献３】特開２０１６−０８０７７６号公報
【発明の概要】
【発明が解決しようとする課題】
【０００８】
そこで、本発明が解決しようとする課題は、棒状ライトの形態で使用される利便性の高い表示装置を提供することにある。
【課題を解決するための手段】
【０００９】
実施形態によれば、透光性を有する筒状部分と当該筒状部分に接続されるグリップ部分とを備える表示装置が提供される。前記筒状部分の内部には、表示パネルが配置される。前記グリップ部分は、前記表示パネルに画像を表示する表示制御部を有する。
【図面の簡単な説明】
【００１０】
【図１】第１実施形態に係る表示装置の外観の一例を示す図。
【図２】表示装置の構成の概略について説明するための図。
【図３】表示パネルの構成について具体的に説明するための図。
【図４】表示装置のシステム構成の一例を示す図。
【図５】メモリに格納されている表示パターン情報のデータ構造の一例を示す図。
【図６】表示装置において第１液晶パネル及び第２液晶パネルに画像を表示する際の処理手順の一例を示すフローチャート。
【図７】表示装置において第１液晶パネル及び第２液晶パネルに画像を表示する際の処理手順の別の例を示すフローチャート。
【図８】第１液晶パネル及び第２液晶パネルにおいて導光板を共用する構成の一例を示す図。
【図９】第１液晶パネル及び第２液晶パネルにおいて導光板を共用する場合の表示装置のシステム構成の一例を示す図。
【図１０】表示装置の筒状部分に第１〜第３液晶パネルが配置された構成について説明するための図。
【図１１】表示装置の筒状部分にフレキシブル表示パネルが配置された構成について説明するための図。
【図１２】フィールドシーケンシャル駆動方式の概要について説明するための図。
【図１３】画像を単色表示する場合について説明するための図。
【図１４】第２実施形態に係る表示装置の構成の概略について説明するための図。
【図１５】表示装置のシステム構成の一例を示す図。
【図１６】第３実施形態に係る表示装置の構成の概略について説明するための図。
【図１７】表示装置１のシステム構成の一例を示す図。
【図１８】メモリに格納されている表示パターン情報のデータ構造の一例を示す図。
【図１９】第１〜第３ＰＤＬＣパネルの各々に配置されている電極の固定パターンに応じて表示される画像の一例を示す図。
【図２０】表示装置が駆動モード「１」で駆動している状態で筒状部分の外部から視認される画像の一例を示す図。
【図２１】表示装置が駆動モード「２」で駆動している状態で筒状部分の外部から視認される画像の一例を示す図。
【図２２】表示装置が駆動モード「３」で駆動している状態で筒状部分の外部から視認される画像の一例を示す図。
【発明を実施するための形態】
【００１１】
以下、図面を参照して、実施形態について説明する。  
なお、開示はあくまで一例に過ぎず、当業者において、発明の趣旨を保っての適宜変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一または類似の要素については符号を省略することがある。また、本明細書と各図において、既出の図に関して前述したものと同一または類似した機能を発揮する構成要素には同一の参照符号を付し、重複する詳細な説明を省略することがある。
【００１２】
（第１実施形態）
まず、第１実施形態に係る表示装置の概要について説明する。図１は、本実施形態に係る表示装置の外観の一例を示す。
【００１３】
図１に示すように、表示装置１は、棒状ライトの形態で使用され、筒状部分１０及びグリップ部分２０を備える。
【００１４】
筒状部分１０は、当該筒状部分１０において光を外部に射出することが可能なように透光性を有する。筒状部分１０の内部は空洞となっているが、当該筒状部分１０のグリップ部分２０と接続される側の端部は開口しており、当該筒状部分１０のグリップ部分２０と接続される側とは反対側の端部は閉塞している。
【００１５】
なお、筒状部分１０は、例えばプラスチック等で形成されるが、透光性を有するものであれば他の材料によって形成されていてもよい。
【００１６】
ここで、本実施形態において、筒状部分１０の内部には、各種画像を表示可能な表示パネル１１が配置されている。なお、本実施形態において表示パネル１１に表示される画像は、静止画であってもよいし、動画であってもよい。この表示パネル１１の詳細については後述するが、当該表示パネル１１は、例えば液晶層を有する矩形平板状の液晶表示パネルである。
【００１７】
なお、図１に示す筒状部分１０は円筒形状を有しているが、他の形状を有していても構わない。
【００１８】
グリップ部分２０は、表示装置１が棒状ライトの形態で使用される際に使用者によって把持される部分である。
【００１９】
グリップ部分２０は、上記した筒状部分１０と同様に例えば筒状に形成されている。グリップ部分２０の筒状部分１０と接続される側の端部は開口しており、当該グリップ部分２０と接続される側とは反対側の端部は閉塞している。
【００２０】
なお、グリップ部分２０の内部には、上記した筒状部分１０から光を射出させる（つまり、筒状部分１０を発光させる）ための光源部を有する。この光源部としては、例えばＬＥＤ（Light Emitting Diode）等が用いられる。
【００２１】
次に、図２を参照して、本実施形態に係る表示装置１の構成の概略について説明する。なお、図２は、上記した矩形平板上の表示パネル１１の表示面に沿う方向かつ当該表示パネル１１（表示装置１）の短手方向から表示装置１を示す概略図である。
【００２２】
本実施形態に係る表示装置１において、筒状部分１０の内部に配置される表示パネル１１は、第１表示パネル１１１及び第２表示パネル１１２を含む。
【００２３】
第１表示パネル１１１は、第１基板１１１ａ（アレイ基板）と、当該第１基板１１１ａに対向配置された第２基板１１１ｂ（対向基板）と、第１基板１１１ａ及び第２基板１１１ｂの間に形成された液晶層（図示せず）とを備える。なお、第１基板１１１ａ及び第２基板１１１ｂは、例えばガラスまたは樹脂等で形成された透明基板である。すなわち、第１表示パネル１１１は、一対の透明基板の間に液晶層が配置された液晶表示パネルである。以下の説明においては、第１表示パネル１１１を、便宜的に、第１液晶パネル１１１と称する。
【００２４】
ここで、第１基板１１１ａの第２基板１１１ｂが配置されていない側（図２では第１基板１１１ａの下側）には、上記したＬＥＤ（光源部）からの光を第１液晶パネル１１１に照明するための導光板（導光部）１１１ｃが配置されている。なお、導光板１１１ｃを介して第１液晶パネル１１１に照明される光の利用効率を向上させるために、当該導光板１１１ｃの第１基板１１１ａが配置されていない側には例えば反射層が設けられているものとする。
【００２５】
第２表示パネル１１２は、第１基板１１２ａ（アレイ基板）と、当該第１基板１１２ａに対向配置された第２基板１１２ｂ（対向基板）と、第１基板１１２ａ及び第２基板１１２ｂの間に形成された液晶層（図示せず）とを備える。なお、第１基板１１２ａ及び第２基板１１２ｂは、例えばガラスまたは樹脂等で形成された透明基板である。すなわち、第２表示パネル１１２は、第１液晶パネル１１１と同様に、一対の透明基板の間に液晶層が配置された液晶表示パネルである。以下の説明においては、第２表示パネル１１２を、便宜的に、第２液晶パネル１１２と称する。
【００２６】
ここで、第１基板１１２ａの第２基板１１２ｂが配置されていない側（図２では第１基板１１２ａの上側）には、上記したＬＥＤ（光源部）からの光を第２液晶パネル１１２に照明するための導光板（導光部）１１２ｃが配置されている。なお、導光板１１２ｃを介して第２液晶パネル１１２に照明される光の利用効率を向上させるために、当該導光板１１２ｃの第１基板１１２ａが配置されていない側には例えば反射層が設けられているものとする。
【００２７】
本実施形態において、第１液晶パネル１１１及び第２液晶パネル１１２は、当該第１液晶パネル１１１の背面側（導光板１１１ｃ側）と当該第２液晶パネル１１２の背面側（導光板１１２ｃ側）とが向かい合うように重畳された状態で筒状部分１０の内部に配置されている。換言すれば、第１液晶パネル１１１及び第２液晶パネル１１２は、当該第１液晶パネル１１１の表示面（第２基板１１１ｂ側）と当該第２液晶パネル１１２の表示面（第２基板１１２ｂ側）とが互いに筒状部分１０の外部から視認可能なように配置される。
【００２８】
一方、グリップ部分２０は、表示制御部２１、第１ＬＥＤ２２ａ、第２ＬＥＤ２２ｂ、切り替え部２３及び電力供給部２４を含む。
【００２９】
表示制御部２１は、第１液晶パネル１１１及び第２液晶パネル１１２における画像の表示を制御する機能を有する。
【００３０】
ＬＥＤ２２ａは、第１液晶パネル１１１に画像を表示する際に当該第１液晶パネル１１１を照明するための光源部として駆動する例えば白色ＬＥＤである。また、ＬＥＤ２２ｂは、第２液晶パネル１１２に画像を表示する際に当該第２液晶パネル１１２を照明するための光源部として駆動する例えば白色ＬＥＤである。なお、ＬＥＤ２２ａ及びＬＥＤ２２ｂからの光は、上記した導光板１１１ｃ及び１１２ｃを介して第１液晶パネル１１１及び第２液晶パネル１１２に照明される。
【００３１】
図２においては、第１液晶パネル１１１に対してＬＥＤ２２ａが設けられており、導光板１１１ｃの側面から光が入射される。同様に第２液晶パネル１１２に対してＬＥＤ２２ｂが設けられており、導光板１１２ｃの側面から光が入射される。また、第１液晶パネル１１１の導光板１１１ｃ及び第２液晶パネル１１２の導光板１１２ｃの両方の側面に同一のＬＥＤから光が入射するように同一のＬＥＤを導光板１１１ｃと導光板１１２ｃで共用するような構成であってもよい。
【００３２】
ここで、本実施形態において、第１液晶パネル１１１及び第２液晶パネル１１２に表示される画像は、例えば表示装置１の駆動モードに応じて切り替えられるものとする。切り替え部２３は、このような表示装置１の駆動モード（つまり、第１液晶パネル１１１及び第２液晶パネル１１２における画像の表示パターン）を切り替えるために操作され、例えば基板上に設けられたスイッチ等を含む。
【００３３】
すなわち、本実施形態において、表示制御部２１は、切り替え部２３に対する操作に応じた駆動モード（表示パターン）に従って第１液晶パネル１１１及び第２液晶パネル１１２に画像を表示する。
【００３４】
なお、切り替え部２３は、例えば複数のスイッチを含むものであってもよい。また、図２においては、切り替え部２３としてボタン形状のスイッチを想定しているが、切り替え部２３は、例えばダイアル等であってもよい。
【００３５】
電力供給部２４は、例えば表示制御部２１に接続され、当該表示制御部２１を含む表示装置１が駆動するための電力を供給するための電池またはバッテリ等を含む。
【００３６】
次に、図３を参照して、図２に示す表示パネル１１の構成について具体的に説明する。図３は、第１方向Ｘと、第１方向Ｘに垂直な第２方向Ｙと、第１方向Ｘ及び第２方向Ｙに垂直な第３方向Ｚによって規定される三次元空間を示している。なお、第１方向Ｘ及び第２方向Ｙは互いに直行しているが、９０°以外の角度で交差していてもよい。また、本実施形態において、第３方向Ｚを上と定義し、第３方向Ｚと反対側の方向を下と定義する。「第１部材の上の第２部材」及び「第１部材の下の第２部材」とした場合、第２部材は、第１部材に接していてもよく、第１部材から離れて位置していてもよい。
【００３７】
図３に示す表示パネル１１は、第１液晶パネル１１１及び第２液晶パネル１１２を含む。上記したように、第１液晶パネル１１１は第１基板１１１ａ、第２基板１１１ｂ及び導光板１１１ｃを有し、第２液晶パネル１１２は第１基板１１２ａ、第２基板１１２ｂ及び導光板１１２ｃを有する。なお、本実施形態において表示パネル１１（第１液晶パネル１１１及び第２液晶パネル１１２）は表示装置１の筒状部分１０の内部に配置されているが、図３においては筒状部分１０については省略されている。また、ＬＥＤ等の光源の光は導光板１１１ｃ、導光板１１２ｃの側面から入射されるが図３においては省略されている。
【００３８】
図３に示すように、第１液晶パネル１１１及び第２液晶パネル１１２の短辺は例えば第１方向Ｘと平行であり、第１液晶パネル１１１及び第２液晶パネルの長辺は例えば第２方向Ｙと平行である。この場合、第１方向Ｘは、表示パネル１１が配置される筒状部分１０の短手方向に相当する。また、第２方向Ｙは、表示パネル１１が配置される筒状部分１０の長手方向に相当する。なお、第３方向Ｚは第１液晶パネル１１１及び第２液晶パネル１１２の厚さ方向に相当し、第１液晶パネル１１１及び第２液晶パネル１１２は、第３方向Ｚに重畳されている。第１液晶パネル１１１及び第２液晶パネル１１２の主面は、第１方向Ｘと第２方向Ｙとにより規定されるＸ−Ｙ平面に平行である。
【００３９】
また、第１液晶パネル１１１及び第２液晶パネル１１２は、画像を表示する領域である表示領域ＤＡを有する。表示領域ＤＡには、複数の画素ＰＸが配置されている。なお、図３に示すように、第１液晶パネル１１１の表示領域ＤＡ（表示面）は上側を向くように配置されているのに対して、第２液晶パネル１１２の表示領域ＤＡ（表示面）は下側を向くように配置されている。
【００４０】
本実施形態に係る表示装置１においては、このように第１液晶パネル１１１及び第２液晶パネル１１２が互いに重畳するように配置されることによって、当該表示装置１を上側から見た場合には第１表示パネル１１１に表示された画像を視認することができ、当該表示装置１を下側から見た場合には第２表示パネル１１２に表示された画像を視認することができる。
【００４１】
なお、本実施形態に係る表示装置１においては、第１液晶パネル１１１の表示領域ＤＡに配置されている各画素に対して印加される電圧に応じて、導光板１１１ｃを介してＬＥＤ２２ａによって照明される光を各画素から出力することによって、当該第１液晶パネル１１１に画像を表示することができる。なお、第１液晶パネル１１１における画像のカラー表示は、例えば第２基板１１１ｂに備えられるカラーフィルタを用いて実現される。
【００４２】
同様に、本実施形態に係る表示装置１においては、第２液晶パネル１１２の表示領域ＤＡに配置されている各画素に対して印加される電圧に応じて、導光板１１２ｃを介してＬＥＤ２２ｂによって照明される光を各画素から出力することによって、当該第２液晶パネル１１２に画像を表示することができる。なお、第２液晶パネル１１２における画像のカラー表示は、例えば第２基板１１２ｂに備えられるカラーフィルタを用いて実現される。
【００４３】
表示パネル１１（第１液晶パネル１１１及び第２液晶パネル１１２）の外部には例えばホスト装置ＨＯＳが設けられる。ホスト装置ＨＯＳは、フレキシブル配線基板ＦＰＣを介して、第１液晶パネル１１１及び第２液晶パネル１１２と接続されている。なお、ホスト装置ＨＯＳは表示装置１のグリップ部分２０の内部に配置されているが、図３においてはグリップ部分２０については省略されている。
【００４４】
ここで、第１液晶パネル１１１とホスト装置ＨＯＳとを接続するフレキシブル配線基板ＦＰＣ（第１フレキシブル配線基板）上には、駆動ＩＣ３１ａが設けられている。駆動ＩＣ３１ａは、例えばホスト装置ＨＯＳから出力される画像信号に基づいて第１液晶パネル１１１を駆動するドライバである。
【００４５】
同様に、第２液晶パネル１１２とホスト装置ＨＯＳとを接続するフレキシブル配線基板ＦＰＣ（第２フレキシブル配線基板）上には、駆動ＩＣ３１ｂが設けられている。駆動ＩＣ３１ｂは、例えばホスト装置ＨＯＳから出力される画像信号に基づいて第２液晶パネル１１２を駆動するドライバである。
【００４６】
なお、ホスト装置ＨＯＳは、基板上に設けられた制御回路（図示せず）を有する。この制御回路は、上記したように第１液晶パネル１１１及び第２液晶パネル１１２における画像の表示動作を制御するための回路であり、上記した図２に示す表示制御部２１に相当する。
【００４７】
また、図３においては省略されているが、導光板１１１ｃ及び導光板１１２ｃの各々のホスト装置ＨＯＳ側の側面には図２に示すＬＥＤ２２ａ及びＬＥＤ２２ｂが配置されており、当該ＬＥＤ２２ａ及びＬＥＤ２２ｂは、例えばフレキシブル配線基板を介してホスト装置ＨＯＳと接続されている。ＬＥＤ２２ａ及びＬＥＤ２２ｂは、第１液晶パネル１１１及び第２液晶パネル１１２に画像を表示する際に後述するＬＥＤドライバによって駆動される。
【００４８】
なお、図３においては、図２に説明した表示制御部２１に接続される切り替え部（スイッチ）２３及び電力供給部（電池またはバッテリ）２４については省略されている。
【００４９】
図３において説明した構成は一例であり、表示装置１は他の構成であっても構わない。具体的には、駆動ＩＣ３１ａ及び駆動ＩＣ３１ｂは、フレキシブル配線基板ＦＰＣ上に設けられるものとして説明したが、例えば第１基板１１１ａ及び第１基板１１２ａ上にそれぞれ設けられてもよい。また、図３に示す例では、駆動ＩＣ３１ａ及び駆動ＩＣ３１ｂは、フレキシブル配線基板ＦＰＣの上側に設けられるものとして説明したが、当該フレキシブル配線基板ＦＰＣの下側に設けられていてもよい。更に、図３に示す例では、第１液晶パネル１１１と接続されるフレキシブル配線基板ＦＰＣはホスト装置ＨＯＳの上側に接続されており、第２液晶パネル１１２と接続されるフレキシブル配線基板ＦＰＣはホスト装置ＨＯＳの下側に接続されているが、当該フレキシブル配線基板ＦＰＣは、ホスト装置ＨＯＳの上側及び下側の一方にのみ接続されていてもよい。
【００５０】
次に、図４は、表示装置１のシステム構成の一例を示す。図４に示すように、表示装置１は、第１液晶パネル１１１、第２液晶パネル１１２、ＬＥＤ２２ａ、ＬＥＤ２２ｂ、駆動ＩＣ３１ａ、駆動ＩＣ３１ｂ、ＬＥＤドライバ３２ａ及びＬＥＤドライバ３２ｂを備える。
【００５１】
第１液晶パネル１１１は、駆動ＩＣ３１ａによって駆動されることによって、各種画像を表示することができる。
【００５２】
また、第１液晶パネル１１１が画像を表示する際に当該第１液晶パネル１１１を照明するＬＥＤ２２ａは、ＬＥＤドライバ３２ａによって駆動される。
【００５３】
一方、第２液晶パネル１１２は、駆動ＩＣ３１ｂによって駆動されることによって各種画像を表示することができる。
【００５４】
また、第２液晶パネル１１２が画像を表示する際に当該第２液晶パネル１１２を照明するＬＥＤ２２ｂは、ＬＥＤドライバ３２ｂによって駆動される。
【００５５】
なお、ＬＥＤドライバ３２ａ及び３２ｂは、それぞれＬＥＤ２２ａ及びＬＥＤ２２ｂを駆動するドライバである。図３においては省略されていたが、ＬＥＤドライバ３２ａは、例えばＬＥＤ２２ａとホスト装置ＨＯＳとを接続するフレキシブル配線基板上に設けられていてもよいし、ホスト装置ＨＯＳの基板上に設けられていてもよい。同様に、ＬＥＤドライバ３２ｂは、例えばＬＥＤ２２ｂとホスト装置ＨＯＳとを接続するフレキシブル配線基板上に設けられていてもよいし、ホスト装置ＨＯＳの基板上に設けられていてもよい。
【００５６】
更に、表示装置１は、制御回路２１ａ及びメモリ２１ｂを備える。制御回路２１ａは、図３において説明したようにホスト装置ＨＯＳの基板上に設けられており、図２に示す表示制御部２１に相当する。
【００５７】
制御回路２１ａは、例えばホスト装置ＨＯＳ内のコマンドに基づいて駆動ＩＣ３１ａ及び駆動ＩＣ３１ｂを同期させて動作させるタイミングコントローラとしての機能を有する。なお、制御回路２１ａは、駆動ＩＣ３１ａ及び駆動ＩＣ３１ｂの動作に応じて、ＬＥＤドライバ３２ａ及びＬＥＤドライバ３２ｂも同期させて動作させる。
【００５８】
ここで、制御回路２１ａは、上記したように駆動ＩＣ３１ａ及びＬＥＤドライバ３２ａを動作させることによって第１液晶パネル１１１に画像を表示し、駆動ＩＣ３１ｂ及びＬＥＤドライバ３２ｂを動作させることによって第２液晶パネル１１２に画像を表示する制御を実行するが、当該第１液晶パネル１１１及び第２液晶パネル１１２に表示される画像（データ）については、メモリ２１ｂに格納されているものとする。なお、本実施形態において、メモリ２１ｂは、例えば制御回路２１ａと同様にホスト装置ＨＯＳに備えられていればよいが、当該ホスト装置ＨＯＳの外部に設けられていてもよい。
【００５９】
また、本実施形態において、第１液晶パネル１１１及び第２液晶パネル１１２に表示される画像は上記したように表示装置１の駆動モードに応じて切り替えられるが、メモリ２１ｂには、当該駆動モードに応じて第１液晶パネル１１１及び第２液晶パネル１１２に表示される画像の表示パターンを含む表示パターン情報が格納されている。なお、表示装置１の駆動モードは複数用意されており、メモリ２１ｂに格納されている表示パターン情報は、駆動モードの各々に応じた複数の表示パターンを含む。
【００６０】
制御回路２１ａは、メモリ２１ｂに格納されている表示パターン情報に含まれる複数の表示パターンのうち、スイッチ等の切り替え部２３に対する操作に応じて切り替えられる駆動モードに応じた表示パターンに従って、第１液晶パネル１１１及び第２液晶パネル１１２に画像を表示する。
【００６１】
ここで、図５を参照して、図４に示すメモリ２１ｂに格納されている表示パターン情報のデータ構造の一例について説明する。
【００６２】
図５に示すように、メモリ２１ｂには、表示パターンとして、駆動モード、第１画像情報及び第２画像情報と表記を対応づけて含む表示パターン情報が格納されている。
【００６３】
駆動モードは表示装置１が駆動する駆動モードを表し、上記したように複数の駆動モードが予め用意されているものとする。第１画像情報は、第１液晶パネル１１１に表示される画像を示す情報であり、当該画像（ファイル）のファイル名等を含む。第２画像情報は、第２液晶パネル１１２に表示される画像を示す情報であり、当該画像（ファイル）のファイル名等を含む。
【００６４】
図５に示す例では、メモリ２１ｂに格納されている表示パターン情報には、表示パターンとして、例えば駆動モード「１」、第１画像情報「画像１」及び第２画像情報「画像２」が含まれている。この表示パターンによれば、表示装置１が駆動モード「１」で駆動する場合には、第１液晶パネル１１１に第１画像情報「画像１」によって示される画像を表示し、第２液晶パネル１１２に第２画像情報「画像２」によって示される画像を表示することが示されている。
【００６５】
また、メモリ２１ｂに格納されている表示パターン情報には、表示パターンとして、例えば駆動モード「２」、第１画像情報「画像１」及び第２画像情報「画像３」が含まれている。この表示パターンによれば、表示装置１が駆動モード「２」で駆動する場合には、第１液晶パネル１１１に第１画像情報「画像１」によって示される画像を表示し、第２液晶パネル１１２に第２画像情報「画像３」によって示される画像を表示することが示されている。
【００６６】
更に、メモリ２１ｂに格納されている表示パターン情報には、表示パターンとして、例えば駆動モード「３」、第１画像情報「画像２」及び第２画像情報「画像３」が含まれている。この表示パターンによれば、表示装置１が駆動モード「３」で駆動する場合には、第１液晶パネル１１１に第１画像情報「画像２」によって示される画像を表示し、第２液晶パネル１１２に第２画像情報「画像３」によって示される画像を表示することが示されている。
【００６７】
図５においては駆動モード「１」〜「３」についてのみが示されているが、４つ以上の駆動モードが用意されていてもよいし、駆動モードは例えば２つであってもよい。また、図５においては駆動モードに応じて３つの画像（画像情報「画像１」〜「画像３」によって示される画像）が第１液晶パネル１１１及び第２液晶パネル１１２に表示されるものとして説明したが、当該第１液晶パネル１１１及び第２液晶パネル１１２に表示される画像の数は、例えば３つ以外であってもよい。また、第１液晶パネル１１１及び第２液晶パネル１１２に表示される画像の組み合わせはメモリの情報を書き換えることで任意に設定できる。
【００６８】
更に、図５に示す例では、各駆動モードにおいて第１液晶パネル１１１及び第２液晶パネル１１２は１つの画像を表示するが、例えば１つの駆動モードにおいて第１液晶パネル１１１及び第２液晶パネル１１２がそれぞれ複数の画像を切り替えながら表示するような表示パターンがあってもよい。
【００６９】
この場合には、それぞれ複数の画像を示す第１画像情報及び第２画像情報が表示パターン情報に含まれていればよい。具体的には、駆動モード「１」と第１画像情報「画像１」及び「画像２」と第２画像情報「画像３」及び「画像４」とが表示パターンとして表示パターン情報に含まれている場合、表示装置１が駆動モード「１」で駆動することによって、第１画像情報「画像１」によって示される画像と第１画像情報「画像２」によって示される画像とを交互に第１液晶パネル１１１に表示するとともに、第２画像情報「画像３」によって示される画像と第２画像情報「画像４」によって示される画像とを交互に第２液晶パネル１１２に表示するような制御を実現することが可能となる。
【００７０】
また、本実施形態における表示パターンとは第１液晶パネル１１１に表示される画像と第２液晶パネル１１２に表示される画像との組み合わせに関するパターンを想定しているが、当該表示パターンは、例えば画像の表示態様に関するパターン（例えば、点滅で表示するパターンまたは色彩が異なるパターン等）であってもよい。
【００７１】
次に、図６のフローチャートを参照して、本実施形態に係る表示装置１において第１液晶パネル１１１及び第２液晶パネル１１２に画像を表示する際の処理手順の一例について説明する。
【００７２】
なお、図６に示す処理は、例えば制御回路２１ａ（表示制御部２１）によって実行されるものとして説明する。また、以下の説明において、表示装置１のグリップ部２０に含まれる切り替え部２３については、ボタン形状のスイッチ２３として説明する。
【００７３】
まず、表示装置１のグリップ部２０に設けられているスイッチ２３を押下することで表示装置１の電源がＯＮされる（ステップＳ１）。尚、電源スイッチをスイッチ２３とは別に設けてもよい。
【００７４】
ステップＳ１の処理が実行されると、電力供給部２４から電力が表示装置１に供給され、筒状部分１０の内部に配置されている表示パネル１１（第１液晶パネル１１１及び第２液晶パネル１１２）に画像を表示する動作が開始される。
【００７５】
ここで、表示装置１は第１〜第３駆動モードで駆動することができるものとする。この場合、制御回路２１ａは、メモリ２１ｂを参照して、例えば第１駆動モードで第１液晶パネル１１１及び第２液晶パネル１１２に画像を表示する（ステップＳ２）。
【００７６】
ステップＳ２の処理について具体的に説明すると、制御回路２１ａは、第１駆動モードに対応づけて表示パターン情報に含まれる第１画像情報及び第２画像情報を取得する。
【００７７】
制御回路２１ａは、取得された第１画像情報によって示される画像をメモリ２１ｂから取得して駆動ＩＣ３１ａ及びＬＥＤドライバ３２ａを制御することにより当該画像を第１液晶パネル１１１に表示する。
【００７８】
同様に、制御回路２１ａは、取得された第２画像情報によって示される画像をメモリ２１ｂから取得して駆動ＩＣ３１ｂ及びＬＥＤドライバ３２ｂを制御することにより当該画像を第２液晶パネル１１２に表示する。
【００７９】
これにより、第１液晶パネル１１１及び第２液晶パネル１１２は、第１駆動モードに応じた表示パターンで画像を表示することができる。
【００８０】
なお、メモリ２１ｂに図５に示す表示パターン情報が格納されているものとし、図５に示す駆動モード「１」が第１駆動モードに対応しているものとすると、ステップＳ２の処理が実行された場合、第１液晶パネル１１１には第１画像情報「画像１」によって示される画像（以下、単に画像１と表記）が表示され、第２液晶パネル１１２には第２画像情報「画像２」によって示される画像（以下、単に画像２と表記）が表示される。
【００８１】
ここで、本実施形態に係る表示装置１の駆動モードは、スイッチ２３が押下されることによって切り替えられるものとする。
【００８２】
このため、制御回路２１ａは、スイッチ２３が押下されたか否かを判定する（ステップＳ３）。
【００８３】
スイッチ２３が押下されていないと判定された場合（ステップＳ３のＮＯ）、ステップＳ２に戻って処理が繰り返される。換言すれば、スイッチ２３が押下されるまでは、第１駆動モードでの駆動が継続される。
【００８４】
一方、スイッチ２３が押下されたと判定された場合（ステップＳ３のＹＥＳ）、制御回路２１ａは、メモリ２１ｂを参照して、例えば第２駆動モードで第１液晶パネル１１１及び第２液晶パネル１１２に画像を表示する（ステップＳ４）。
【００８５】
ステップＳ４において、制御回路２１ａは、第２駆動モードに対応づけて表示パターン情報に含まれる第１画像情報及び第２画像情報を取得する。
【００８６】
制御回路２１ａは、取得された第１画像情報によって示される画像をメモリ２１ｂから取得して駆動ＩＣ３１ａ及びＬＥＤドライバ３２ａを制御することにより当該画像を第１液晶パネル１１１に表示する。
【００８７】
同様に、制御回路２１ａは、取得された第２画像情報によって示される画像をメモリ２１ｂから取得して駆動ＩＣ３１ｂ及びＬＥＤドライバ３２ｂを制御することにより当該画像を第２液晶パネル１１２に表示する。
【００８８】
これにより、第１液晶パネル１１１及び第２液晶パネル１１２は、第２駆動モードに応じた表示パターンで画像を表示することができる。
【００８９】
なお、メモリ２１ｂに図５に示す表示パターン情報が格納されているものとし、図５に示す駆動モード「２」が第２駆動モードに対応しているものとすると、ステップＳ４の処理が実行された場合、第１液晶パネル１１１には第１画像情報「画像１」によって示される画像１が表示され、第２液晶パネル１１２には第２画像情報「画像３」によって示される画像（以下、単に画像３と表記）が表示される。
【００９０】
すなわち、上記したように表示装置１が第１駆動モードで駆動している状態でスイッチ２３が押下された場合には、当該第１駆動モードが第２駆動モードに切り替えられることによって、当該第１駆動モードに応じた表示パターン（第１液晶パネル１１１に画像１が表示され、第２液晶パネル１１２に画像２が表示される表示パターン）を第２駆動モードに応じた表示パターン（第１液晶パネル１１１に画像１が表示され、第２液晶パネル１１２に画像３が表示される表示パターン）に変更することが可能となる。
【００９１】
更に、制御回路２１ａは、スイッチ２３が押下されたか否かを判定する（ステップＳ５）。スイッチ２３が押下されていないと判定された場合（ステップＳ５のＮＯ）、ステップＳ４に戻って処理が繰り返される。換言すれば、スイッチ２３が押下されるまでは、第２駆動モードでの駆動が継続される。
【００９２】
一方、スイッチ２３が押下されたと判定された場合（ステップＳ５のＹＥＳ）、制御回路２１ａは、メモリ２１ｂを参照して、例えば第３駆動モードで第１液晶パネル１１１及び第２液晶パネル１１２に画像を表示する（ステップＳ６）。
【００９３】
ステップＳ６においては、制御回路２１ａは、第３駆動モードに対応づけて表示パターン情報に含まれる第１画像情報及び第２画像情報を取得する。
【００９４】
制御回路２１ａは、取得された第１画像情報によって示される画像をメモリ２１ｂから取得して駆動ＩＣ３１ａ及びＬＥＤドライバ３２ａを制御することにより当該画像を第１液晶パネル１１１に表示する。
【００９５】
同様に、制御回路２１ａは、取得された第２画像情報によって示される画像をメモリ２１ｂから取得して駆動ＩＣ３１ｂ及びＬＥＤドライバ３２ｂを制御することにより当該画像を第２液晶パネル１１２に表示する。
【００９６】
これにより、第１液晶パネル１１１及び第２液晶パネル１１２は、第３駆動モードに応じた表示パターンで画像を表示することができる。
【００９７】
なお、上記したようにメモリ２１ｂに図５に示す表示パターン情報が格納されているものとし、図５に示す駆動モード「３」が第３駆動モードに対応しているものとすると、ステップＳ６の処理が実行された場合、第１液晶パネル１１１には第１画像情報「画像２」によって示される画像２が表示され、第２液晶パネル１１２には第２画像情報「画像３」によって示される画像３が表示される。
【００９８】
すなわち、上記したように表示装置１が第２駆動モードで駆動している状態でスイッチ２３が押下された場合には、当該第２駆動モードが第３駆動モードに切り替えられることによって、当該第２駆動モードに応じた表示パターン（第１液晶パネル１１１に画像１が表示され、第２液晶パネル１１２に画像２が表示される表示パターン）を第３駆動モードに応じた表示パターン（第１液晶パネル１１１に画像２が表示され、第２液晶パネル１１２に画像３が表示される表示パターン）に変更することが可能となる。
【００９９】
更に、制御回路２１ａは、スイッチ２３が押下されたか否かを判定する（ステップＳ７）。スイッチ２３が押下されていないと判定された場合（ステップＳ７のＮＯ）、ステップＳ６に戻って処理が繰り返される。換言すれば、スイッチ２３が押下されるまでは、第３駆動モードでの駆動が継続される。
【０１００】
ここで、上記した表示装置１が第１〜第３駆動モードで駆動することができる場合において、当該表示装置１が第３駆動モードで駆動している状態でスイッチ２３が押下されたと判定された場合（ステップＳ７のＹＥＳ）、表示装置１の電源はＯＦＦされるものとする（ステップＳ８）。
【０１０１】
なお、ステップＳ８の処理が実行された後に再度スイッチ２３が押下された場合には、ステップＳ１以降の処理が再度実行されればよい。
【０１０２】
図６においては第１駆動モード、第２駆動モード、第３駆動モードの順で表示装置１が駆動するものとして説明したが、例えば図６に示すステップＳ２、Ｓ４及びＳ６の処理は入れ替えられても構わない。
【０１０３】
また、図６においては表示装置１が第３駆動モードで駆動している状態でスイッチ２３が押下された場合に表示装置１の電源がＯＦＦされるものとして説明したが、例えば表示装置１が第３駆動モードで駆動している状態でスイッチ２３が押下された場合には表示装置１が第２駆動モードで駆動し、更にスイッチ２３が押下された場合には表示装置１が第１駆動モードで駆動し、更にスイッチ２３が押下された場合に表示装置１の電源がＯＦＦされるようにしてもよい。
【０１０４】
また、切り替え部２３としてのスイッチ（以下、切り替えスイッチと表記）とは別に電源スイッチが設けられているような構成としても構わない。この場合、表示装置１の電源のＯＮ／ＯＦＦは電源スイッチが押下されることによって行われ、切り替えスイッチは、駆動モードの切り替えにのみ用いられればよい。これによれば、例えば表示装置１の電源がＯＦＦの状態で電源スイッチが押下された場合には表示装置１の電源がＯＮされ、以下ステップＳ２〜Ｓ７の処理が実行される。また、ステップＳ７において切り替えスイッチが押下されたと判定された場合にはステップＳ２に戻って処理が繰り返され、電源スイッチが再度押下された場合に表示装置１の電源がＯＦＦされればよい。
【０１０５】
また、図６においては切り替え部２３としてスイッチが用いられるものとして説明したが、駆動モードが切り替えられるのであれば、例えばダイアル等のスイッチ以外のものが切り替え部２３として用いられても構わない。ダイアルで駆動モードを切り替える場合はダイアルで指定した番号がそのまま駆動モードとなる。
【０１０６】
ここで、図６においてはスイッチ２３を押下する操作が行われる度に表示装置１の駆動モードが切り替えられる場合について説明したが、表示装置１の駆動モードを切り替える操作は他の操作であっても構わない。
【０１０７】
そこで、図７のフローチャートを参照して、本実施形態に係る表示装置１において第１液晶パネル１１１及び第２液晶パネル１１２に画像を表示する際の処理手順の別の例について説明する。
【０１０８】
まず、図６に示すステップＳ１の処理に相当するステップＳ１１の処理が実行される。ステップＳ１１において、スイッチ２３が押下されることで電源がＯＮする。また、スイッチ２３とは別に電源スイッチを設けてもよい。ここで、図６に示す処理においてはスイッチ（切り替え部）２３が押下される度に表示装置１の駆動モードが切り替えられるものとして説明したが、図７に示す処理においては、当該スイッチ２３が所定時間以内に押下された回数に応じて駆動モードを指定することができるものとする。
【０１０９】
ステップＳ１１の処理が実行された後、ステップＳ１２にてスイッチ２３の押下回数をカウントする。制御回路２１ａは、所定時間内にスイッチ２３の押下があったかを判定する（ステップＳ１３）。所定時間内にスイッチの押下がない場合（ステップＳ１３のＮＯ）はスイッチの押下開始（ステップＳ１２）に戻る。所定時間内にスイッチの押下があった場合（ステップＳ１３のＹＥＳ）、制御回路２１ａは、スイッチの押下回数を判定する。スイッチの押下回数は一例として以下の手順で実施する。制御回路２１ａは、スイッチ２３が押下された回数が１回であるか否かを判定する（ステップＳ１４）。
【０１１０】
ステップＳ１４においては、例えば上記したように表示装置１の電源をＯＮするためにスイッチ２３が一度押下された後、予め定められた期間内に再度スイッチ２３が押下されない場合、スイッチ２３が押下された回数が１回であると判定される。これに対して、スイッチ２３が一度押下された後、予め定められた期間内に再度スイッチ２３が押下された場合、スイッチ２３が押下された回数が１回でないと判定される。
【０１１１】
スイッチ２３が押下された回数が１回であると判定された場合（ステップＳ１４のＹＥＳ）、図６に示すステップＳ２の処理に相当するステップＳ１５の処理が実行される。これによれば、表示装置１は第１駆動モードで駆動し、当該第１駆動モードに応じた表示パターンで第１液晶パネル１１１及び第２液晶パネル１１２に画像が表示される（ステップＳ１５）。
【０１１２】
一方、スイッチ２３が押下された回数が１回でないと判定された場合（ステップＳ１４のＮＯ）、制御回路２１ａは、当該スイッチ２３が押下された回数が２回であるか否かを判定する（ステップＳ１６）。
【０１１３】
ここで、上記したようにステップＳ１４においてスイッチ２３が押下された回数が１回でないと判定された場合にはスイッチ２３が２回押下された状態であるが、ステップＳ１６においては、当該２回目のスイッチ２３が押下された後、予め定められた期間内に更にスイッチ２３が押下されない場合、スイッチ２３が押下された回数が２回であると判定される。一方、上記したように２回目のスイッチ２３が押下された後、予め定められた期間内に更にスイッチ２３が押下された場合、スイッチ２３が押下された回数が２回でないと判定される。
【０１１４】
スイッチ２３が押下された回数が２回であると判定された場合（ステップＳ１６のＹＥＳ）、図６に示すステップＳ４の処理に相当するステップＳ１７の処理が実行される。これによれば、表示装置１は第２駆動モードで駆動し、当該第２駆動モードに応じた表示パターンで第１液晶パネル１１１及び第２液晶パネル１１２に画像が表示される（ステップＳ１７）。
【０１１５】
一方、スイッチ２３が押下された回数が２回でないと判定された場合（ステップＳ１６のＮＯ）、制御回路２１ａは、当該スイッチ２３が押下された回数が３回であるか否かを判定する（ステップＳ１８）。
【０１１６】
ここで、上記したステップＳ１６においてスイッチ２３が押下された回数が２回でないと判定された場合にはスイッチ２３が３回押下された状態であるが、ステップＳ１８においては、当該３回目のスイッチ２３が押下された後、予め定められた期間内に更にスイッチ２３が押下されない場合、スイッチ２３が押下された回数が３回であると判定される。一方、上記したように３回目のスイッチ２３が押下された後、予め定められた期間内に更にスイッチ２３が押下された場合、スイッチ２３が押下された回数が３回でないと判定される。
【０１１７】
スイッチ２３が押下された回数が３回であると判定された場合（ステップＳ１８のＹＥＳ）、図６に示すステップＳ６の処理に相当するステップＳ１９の処理が実行される。これによれば、表示装置１は第３駆動モードで駆動し、当該第３駆動モードに応じた表示パターンで第１液晶パネル１１１及び第２液晶パネル１１２に画像が表示される（ステップＳ１９）。
【０１１８】
なお、上記したステップＳ１５、Ｓ１７またはＳ１９の処理が実行され、例えば駆動モードを変更するために再度スイッチ２３が押下された場合には、ステップＳ１２に戻って処理が繰り返される。
【０１１９】
一方、スイッチ２３が押下された回数が３回でない（つまり、４回以上である）と判定された場合（ステップＳ１８のＮＯ）、例えば表示装置１の電源はＯＦＦされる（ステップＳ１８）。
【０１２０】
上記したように図７に示す処理によれば、スイッチ２３が押下される回数に応じて表示装置１の駆動モードを指定することが可能となる。具体的には、例えばスイッチ２３が１回押下された場合には、表示装置１を第１駆動モードで駆動することができる。また、スイッチ２３が２回押下された場合には、表示装置１を第２駆動モードで駆動することができる。更に、スイッチ２３が３回押下された場合には、表示装置１を第３駆動モードで駆動することができる。なお、スイッチ２３が４回以上押下された場合には、表示装置１の電源をＯＦＦすることができる。尚、電源をＯＦＦする動作はスイッチの４回以上の押下以外に所定の時間以上押し続ける（長押し）としてもよく、スイッチ２３とは別に電源用スイッチを設けてもよい。
【０１２１】
ここではスイッチ２３が４回以上押下された場合には表示装置１の電源がＯＦＦされるものとして説明したが、例えばスイッチ２３が４回押下された場合には表示装置１を第２駆動モードで駆動し、スイッチ２３が５回押下された場合には表示装置１を第１駆動モードで駆動し、スイッチ２３が６回押下された場合に表示装置１の電源をＯＦＦするような構成とすることも可能である。
【０１２２】
なお、図７においてはスイッチ２３が押下される回数に応じて表示装置１の駆動モードが指定されるものとして説明したが、例えば当該スイッチ２３が押下される時間の長さ等に応じて駆動モードが指定される構成であってもよい。
【０１２３】
また、例えば切り替え部２３としてダイアル等が用いられる場合には、当該ダイアルを操作することによって駆動モード（当該駆動モードに対応する番号等）が指定されるようにしてもよい。
【０１２４】
上記したように本実施形態においては、透光性を有する筒状部分１０と当該筒状部分に接続されるグリップ部分２０とを備え、当該筒状部分１０の内部には表示パネル１１が配置され、当該グリップ部分２０は当該表示パネル１１に画像を表示する表示制御部２１（制御回路２１ａ）を有する。本実施形態においては、このような構成により、所望の画像を表示することが可能な棒状ライトの形態で使用される利便性の高い表示装置を提供することができる。
【０１２５】
また、本実施形態において、グリップ部分２０はメモリ２１ｂ及び例えばスイッチ等の切り替え部２３を有し、表示制御部２１は、メモリ２１ｂに予め格納されている表示パターン情報に含まれる複数の表示パターンのうち、切り替え部２３に対する操作に応じた表示パターンに従って表示パネル１１に画像を表示する。本実施形態においては、このような構成により、切り替え部２３に対する操作に従って表示パネル１１に表示される画像（つまり、表示パターン）を自在に変更することが可能となるため、棒状ライトの形態で使用される表示装置１のデザイン性を向上させることができるとともに、表示パネル１１に表示される画像（コンテンツ）の自由度を向上させることが可能となる。
【０１２６】
なお、本実施形態においては表示パネル１１が一対の透明基板の間に液晶層が配置された液晶表示パネルであるものとして説明したが、当該表示パネル１１は、例えば有機エレクトロルミネッセンス（ＥＬ：Electro Luminescence）表示パネルまたはＬＥＤ表示パネル等であってもよい。
【０１２７】
また、本実施形態においては、第１基板１１１ａ、第２基板１１１ｂ及び導光板１１１ｃを備える第１液晶パネル１１１と、第１基板１１２ａ、第２基板１１２ｂ及び導光板１１２ｃを備える第２液晶パネル１１２とが筒状部分１０の内部に配置される構成について説明したが、例えば図８に示すように、第１液晶パネル１１１及び第２液晶パネル１１２において１つの導光板１１１ｃ（または１１２ｃ）を共用する構成としても構わない。なお、このような構成における第１液晶パネル１１１及び第２液晶パネル１１２を照明するための光源部としては、例えばＬＥＤ２２ａ（または２２ｂ）が用いられ、導光板１１１ｃの側面から光が入射される。
【０１２８】
また、本実施形態においては、第１液晶パネル１１１に備えられる導光板１１１ｃ及び第２液晶パネル１１２に備えられる導光板１１２ｃにはそれぞれ反射層が設けられているものとして説明したが、図８に示す導光板１１１ｃには反射層は設けられないものとする。これによれば、ＬＥＤ２２ａからの光は、導光板１１１ｃを介して第１表示パネル１１１及び第２表示パネル１１２の双方に照明される。
【０１２９】
なお、図９は、図８に示すように第１液晶パネル１１１及び第２液晶パネル１１２において導光板１１１ｃを共用する場合の表示装置１のシステム構成を示す。図４に示すシステム構成ではＬＥＤ２２ａ及びＬＥＤ２２ｂをそれぞれ駆動するＬＥＤドライバ３２ａ及びＬＥＤドライバ３２ｂが備えられているのに対して、図９に示すシステム構成は、図４におけるＬＥＤ２２ｂ及びＬＥＤドライバ３２ｂが省略された構成となっている。
【０１３０】
上記したように第１液晶パネル１１１及び第２液晶パネル１１２において導光板を共用する構成によれば、図２に示す構成と比較して、導光板の数を低減することが可能となるため、表示パネル１１の薄型化を実現することができるとともに、コストを削減することも可能となる。
【０１３１】
また、上記したように第１液晶パネル１１１及び第２液晶パネル１１２においてＬＥＤ（光源部）を共用する構成によれば、表示装置１における消費電力を低減することが可能となる。
【０１３２】
本実施形態においては互いに背面が対向するように２つの表示パネル（第１液晶パネル１１１及び第２液晶パネル１１２）が筒状部分１０の内部に配置されるものとして説明したが、当該筒状部分１０の内部には、それぞれの表示面が筒状部分１０の外部から視認されるように少なくとも２つ以上の表示パネルが配置されていればよい。
【０１３３】
ここで、図１０は表示装置１の筒状部分１０に配置された表示パネル１１を当該筒状部分１０の長手方向から示す図であるが、図１０に示すように、表示パネル１１として、短辺がそれぞれ三角形の辺となるように第１液晶パネル１１１、第２液晶パネル１１２及び第３液晶パネル（第３表示パネル）１１３が筒状部分１０の内部に配置されてもよい。なお、第１液晶パネル１１１及び第２液晶パネル１１２の構成については前述した通りである。また、第３液晶パネル１１３は、当該第１液晶パネル１１１及び第２液晶パネル１１２と同様に、第１基板１１３ａ、第２基板１１３ｂ及び導光板１１３ｃを備え、表示制御部２１の制御に基づいて画像を表示することができるものとする。
【０１３４】
このような構成によれば、例えば図２に示すように互いに背面が対向するように２つの液晶パネルが配置される構成と比較して、より様々な角度から表示パネル１１に表示される画像が視認可能となる。
【０１３５】
なお、第１〜第３液晶パネル１１１〜１１３が筒状部分１０の内部に配置される場合の表示装置１のシステム構成等については図示しないが、当該システム構成としては、当該第１〜第３液晶パネル１１１〜１１３毎に駆動ＩＣ、ＬＥＤ及びＬＥＤドライバが設けられていればよい。また、メモリ２１ｂには、駆動モード及び各表示パネル１１１〜１１３に表示される画像を示す画像情報を対応づけて含む表示パターン情報が格納されていればよい。
【０１３６】
また、図１０に示すように第１〜第３液晶パネル１１１〜１１３が筒状部分１０の内部に配置される場合、当該第１〜第３液晶パネル１１１〜１１３が導光板を備えず、当該第１〜第３液晶パネル１１１〜１１３によって形成される空洞部分に光源部（バックライト）が配置される構成とすることも可能である。また、第１〜第３液晶パネル１１１〜１１３に表示される画像は図５〜７で説明したモード切替と同様に第１液晶パネルに表示される第１画像情報、第２液晶パネルに表示される第２画像情報、第３液晶パネルに表示される第３画像情報を複数のモードに応じて表示される画像の組み合わせを切り替えることも可能である。
【０１３７】
また、本実施形態においては筒状部分１０の内部に複数の表示パネル（液晶パネル）が配置されるものとして説明したが、当該筒状部分１０の内部に配置される表示パネルは１つであっても構わない。また、筒状部分１０の内部に配置される表示パネルが１つである場合、例えば可撓性を有するフレキシブル表示パネルを用いることができる。このフレキシブル表示パネルは、フレキシブルプリント基板（フィルム基板）を用いて構成されており、例えば図１１に示すように円筒形状となるように形成した第４液晶パネル（第４表示パネル）１１４とすることができる。なお、図１１は、図１０と同様に、表示装置１の筒状部分１０を当該筒状部分１０の長手方向から示す図である。すなわち、本実施形態においては、表示装置１の筒状部分１０の形状に応じて変形されたフレキシブル表示パネルが当該筒状部分１０の内部に配置されてもよい。
【０１３８】
なお、第４液晶パネル１１４は、上記した第１液晶パネル１１１等と同様に、第１基板１１４ａ、第２基板１１４ｂ及び導光板１１４ｃを備え、表示制御部２１の制御に基づいて画像を表示することができる。
【０１３９】
第４液晶パネル１１４が筒状部分１０の内部に配置される場合の表示装置１のシステム構成等については図示しないが、当該システム構成としては、第４液晶パネル１１４に対して駆動ＩＣ、ＬＥＤ及びＬＥＤドライバが設けられていればよい。また、メモリ２１ｂには、駆動モード及び第４液晶パネル１１４に表示される画像を示す画像情報を対応づけて含む表示パターン情報が格納されていればよい。
【０１４０】
なお、図１１に示すように円筒形状となるように形成された第４液晶パネル１１４が筒状部分１０の内部に配置される場合、当該第４液晶パネル１１４が導光板１１４ｃを備えず、当該第４液晶パネル１１４によって形成される空洞部分に光源部（バックライト）が配置される構成とすることも可能である。また、第４液晶パネル１１４に表示される画像についてもモード切替により切り替えることが可能である。
【０１４１】
ところで、本実施形態においては、例えばカラーフィルタを用いて画像のカラー表示を実現する方式が採用されているが、例えばフィールドシーケンシャル駆動方式が採用されても構わない。
【０１４２】
フィールドシーケンシャル駆動方式は、赤色を発光する光源部（以下、赤色ＬＥＤと表記）、緑色を発光する光源部（以下、緑色ＬＥＤと表記）及び青色を発光する光源部（以下、青色ＬＥＤと表記）を時分割で順次発光させることによって画像のカラー表示を実現する方式である。
【０１４３】
具体的には、フィールドシーケンシャル駆動方式の場合、画像を表示する１フレーム期間は、図１２に示すように赤色を表示するための第１期間、緑色を表示するための第２期間及び青色を表示するための第３期間を含む。第１〜第３期間は、例えばそれぞれ重複しない１フレーム期間の１／３ずつに相当する期間である。
【０１４４】
第１期間においては、表示すべき画像において規定されている赤色成分を表現するための電圧を各画素（電極）に順次印加するＲ走査期間の後に、赤色ＬＥＤを発光させるＲ発光期間が設けられている。この第１期間によれば、表示すべき画像の赤色成分を表現することができる。
【０１４５】
第２期間においては、表示すべき画像において規定されている緑色成分を表現するための電圧を各画素（電極）に順次印加するＧ走査期間の後に、緑色ＬＥＤを発光させるＧ発光期間が設けられている。この第２期間によれば、表示すべき画像の緑色成分を表現することができる。
【０１４６】
第３期間においては、表示すべき画像において規定されている青色成分を表現するための電圧を各画素（電極）に順次印加するＢ走査期間の後に、青色ＬＥＤを発光させるＢ発光期間が設けられている。この第３期間によれば、表示すべき画像の青色成分を表現することができる。
【０１４７】
フィールドシーケンシャル駆動においては、上記した第１〜第３期間が繰り返されることによって、カラーフィルタを用いることなく画像をカラー表示することが可能となる。
【０１４８】
本実施形態において、例えば第１表示パネル１１１及び第２表示パネル１１２がフィールドシーケンシャル駆動により画像を表示する構成とした場合には、カラーフィルタを用いないことにより光の透過率を向上させ、輝度を向上させることが可能となる。
【０１４９】
ここで、図１２に示すように、画像をカラー表示する際のフィールドシーケンシャル駆動時においては、混色が生じないようにするため、各走査期間（Ｒ走査期間、Ｇ走査期間、Ｂ走査期間）及び各発光期間（Ｒ発光期間、Ｇ発光期間、Ｂ発光期間）はそれぞれ重複しないものとする。これによれば、画像の赤色成分、緑色成分及び青色成分を適切に表現することができ、質の高い画像のカラー表示を実現することができる。
【０１５０】
なお、ここではフィールドシーケンシャル駆動により画像をカラー表示する場合について説明したが、図１３に示すように、画像を単色表示してもよい。図１３においては、画像を赤色で単色表示する場合の例が示されている。なお、画像を単色表示する場合には、輝度を向上させるために走査期間中にＬＥＤを発光させるようにすることも可能である。
【０１５１】
（第２実施形態）
次に、第２実施形態に係る表示装置について説明する。なお、本実施形態に係る表示装置の外観については前述した第１実施形態と同様であるため、適宜、図１を用いて説明する。
【０１５２】
本実施形態に係る表示装置１は、棒状ライトの形態で使用される点では前述した第１実施形態と同様であるが、筒状部分１０の内部に配置される表示パネル１１が当該第１実施形態とは異なる。
【０１５３】
図１４を参照して、本実施形態に係る表示装置１の構成の概略について説明する。なお、図１４は、矩形平板上の表示パネル１１の表示面に沿う方向かつ当該表示パネル１１（表示装置１）の短手方向から表示装置１を示す概略図である。
【０１５４】
図１４中の前述した図２と同一の部分については、同一参照符号を付して、その詳しい説明を省略する。ここでは、図２と異なる部分について主に述べる。
【０１５５】
本実施形態に係る表示装置１において、筒状部分１０の内部に配置される表示パネル１１は、表示パネル１１５を含む。
【０１５６】
表示パネル１１５は、第１基板１１５ａと、当該第１基板１１５ａに対向配置された第２基板１１５ｂと、第１基板１１５ａ及び第２基板１１５ｂの間に形成された光変調層（図示せず）とを備える。なお、第１基板１１５ａ及び第２基板１１５ｂは、例えばガラスまたは樹脂等で形成された透明基板である。
【０１５７】
また、光変調層は、一対の透明基板の間に配置されており、例えば第１基板１１５ａの光変調層側の表面上と第２基板１１５ｂの光変調層側の表面上とに配置された一対の電極によって生じる電場の大きさや向きに応じて、光に対して全体的または部分的に散乱性または透明性を示すものである。具体的には、光変調層は、一対の電極に電圧が印加されていないときに光に対して透明性を示し、当該一対の電極に電圧が印加されているときに光に対して散乱性を示す。なお、第１基板１１５ａの光変調層側の表面上に配置される電極は、例えば表示パネル１１５の表示領域全体に島状に形成されている。一方、第２基板１１５ｂの光変調層側の表面上に配置される電極は、面内全体にわたって形成された単一のシート状の電極である。光変調層は、例えばバルクとバルク内に分散された微粒子状の複数の微粒子とを含む複合層（高分子分散型液晶層）である。バルクは、例えば低分子モノマーを重合化することにより得られた高分子材料によって構成されている。また、微粒子は、例えば液晶材料を主に含んで構成されている。なお、バルク及び微粒子は、光学異方性を有している。
【０１５８】
すなわち、本実施形態において筒状部分１０の内部に配置される表示パネル１１５は、一対の透明基板の間に高分子分散型液晶（ＰＤＬＣ：Polymer Dispersed Liquid Crystal）を有する光変調層が配置された高分子分散型液晶表示パネル（ＰＤＬＣ表示パネル）である。以下の説明においては、表示パネル１１５を、便宜的に、ＰＤＬＣパネル１１５と称する。
【０１５９】
以下、上記したＰＤＬＣパネル１１５に配置されている光変調層の作用について簡単に説明する。まず、上記した一対の電極に電圧が印加されていない電圧無印加状態（つまり、光変調層に電場が生じていない状態）では、バルクの光軸と、微粒子の液晶分子の光軸の向きが互いに一致し、正面方向及び斜め方向を含むあらゆる方向において屈折率差が極めて小さくなる。このため、ＰＤＬＣパネル１１５の側面から入射する光源からの入射光は、光変調層で散乱されることなく光変調層を透過する。また、例えば第１基板１１５ａの外側から当該第１基板１１５ａ、光変調層及び第２基板１１５ｂを貫通する方向に入射した光についても光変調層内で散乱されることなく光変調層を透過し、第２基板１１５ｂから射出される。このように電圧無印加状態では、光変調層は高い透明性を有する。
【０１６０】
一方、上記した一対の電極に電圧が印加されている電圧印加状態（つまり、光変調層に電場が生じている状態）では、バルクの光軸の方向と、微粒子の光軸の方向とが交差し、正面方向及び斜め方向を含むあらゆる方向において屈折率差が大きくなる。このため、光変調層においては高い散乱性が得られる。この場合、光源からの入射光は、光変調層内で散乱され、この散乱光が第２基板１１５ｂの表示面から射出される。これにより、例えば第２基板１１５ｂの表示面が観察された場合には、散乱光を視認することができる。なお、散乱光は、第１基板１１５ａからも射出され、当該第１基板１１５ａ側からも視認可能である。
【０１６１】
すなわち、ＰＤＬＣパネル１１５を正面から見ると、電圧無印加状態では、第１基板１１５ａ、光変調層及び第２基板１１５ｂを透過した光が視認される。一方、電圧印加状態では、光変調層において散乱されて射出された光が視認される。
【０１６２】
なお、ここでは電圧印加状態で光変調層が高い散乱性を得るものとして説明したが、例えば電圧印加状態でバルクの光軸と微粒子の光軸の向きが互いに一致するようにしておくことで、電圧無印加状態で光変調層が高い散乱性を得るような構成とすることも可能である。
【０１６３】
一方、図１４に示すように、グリップ部分２０は、前述した第１実施形態において説明した切り替え部２３及び電力供給部２４に加えて、表示制御部２５及びＬＥＤ（光源部）２６を含む。
【０１６４】
表示制御部２５は、ＰＤＬＣパネル１１５における画像の表示を制御する機能を有する。
【０１６５】
ＬＥＤ２６は、ＰＤＬＣパネル１１５に画像を表示する際に当該ＰＤＬＣパネル１１５の側面から光を入射するために用いられる。なお、ＬＥＤ２６は、例えば赤色を発光するＬＥＤ（赤色ＬＥＤ）、緑色を発光するＬＥＤ（緑色ＬＥＤ）及び青色を発光するＬＥＤ（青色ＬＥＤ）を含む。
【０１６６】
本実施形態に係る表示装置１においては、ＰＤＬＣパネル１１５に配置されている各画素（表示セル）に対して印加される電圧に応じてＬＥＤ２６から入射された光を散乱させることによって、当該ＰＤＬＣパネル１１５に画像を表示することができる。
【０１６７】
なお、本実施形態においては、上記したフィールドシーケンシャル駆動方式によってＰＤＬＣパネル１１５に画像が表示されるものとする。この場合、ＬＥＤ２６に含まれる赤色ＬＥＤ、緑色ＬＥＤ及び青色ＬＥＤを時分割で順次発光させることによってＰＤＬＣパネル１１５に画像をカラー表示することが可能である。フィールドシーケンシャル駆動方式については、前述した第１実施形態において説明した通りであるため、ここではその詳しい説明を省略する。なお、ＰＤＬＣパネル１１５に表示される画像は、例えば単色で表示されても構わない。
【０１６８】
また、ＰＤＬＣパネル１１５に表示される画像は、第１実施形態と同様に、表示装置１の駆動モードに応じて切り替えられるものとする。
【０１６９】
次に、図１５は、本実施形態に係る表示装置１のシステム構成の一例を示す。図１５に示すように、表示装置１は、ＰＤＬＣパネル１１５、ＬＥＤ２６、駆動ＩＣ３３、ＬＥＤドライバ３４を備える。
【０１７０】
ＰＤＬＣパネル１１５は、駆動ＩＣ３３によって駆動されることによって、各種画像を表示することができる。
【０１７１】
また、ＰＤＬＣパネル１１５が画像を表示する際に当該ＰＤＬＣパネル１１５に光を入射するＬＥＤ２６は、ＬＥＤドライバ３４によって駆動される。
【０１７２】
更に、表示装置１は、制御回路２５ａ及びメモリ２５ｂを備える。制御回路２５ａは、例えば前述したホスト装置ＨＯＳの基板上に設けられており、図１４に示す表示制御部２５に相当する。
【０１７３】
制御回路２５ａは、例えばホスト装置ＨＯＳ内のコマンドに基づいて駆動ＩＣ３３及びＬＥＤドライバ３４を同期させて動作させるタイミングコントローラとしての機能を有する。
【０１７４】
ここで、制御回路２５ａは、上記したように駆動ＩＣ３３及びＬＥＤドライバ３４を動作させることによってＰＤＬＣパネル１１５に画像を表示する制御を実行するが、当該ＰＤＬＣパネル１１５に表示される画像（データ）については、メモリ２５ｂに格納されているものとする。なお、本実施形態において、メモリ２５ｂは、例えば制御回路２５ａと同様にホスト装置ＨＯＳに備えられていればよいが、当該ホスト装置ＨＯＳの外部に設けられていてもよい。
【０１７５】
また、本実施形態において、ＰＤＬＣパネル１１５に表示される画像は上記したように表示装置１の駆動モードに応じて切り替えられるが、メモリ２５ｂには、当該駆動モードに応じてＰＤＬＣパネル１１５に表示される画像の表示パターンを含む表示パターン情報が格納されている。なお、図示しないが、メモリ２５ｂには、表示パターンとして、駆動モード及び当該駆動モードで表示装置１が駆動している際にＰＤＬＣパネル１１５に表示される画像を示す画像情報を対応づけて含む表示パターン情報が格納されていればよい。
【０１７６】
制御回路２５ｂは、メモリ２１ｂに格納されている表示パターン情報に含まれる複数の表示パターンのうち、スイッチ等の切り替え部２３に対する操作に応じて切り替えられる駆動モードに応じた表示パターンに従って、ＰＤＬＣパネル１１５に画像を表示する。
【０１７７】
なお、本実施形態に係る表示装置１の動作については、高分子分散型液晶表示パネルであるＰＤＬＣ表示パネル１１５に画像を表示する点以外は、前述した図６及び図７等において説明した通りであるため、ここではその詳しい説明を省略する。
【０１７８】
上記したように本実施形態においては、表示装置１の筒状部分１０の内部に例えばＰＤＬＣパネル１１５（一対の透明基板の間に高分子分散型液晶を有する光変調層が配置された高分子分散型液晶表示パネル）が配置された場合であっても、前述した第１実施形態と同様に図６または図７に示す処理が実行されることによって、表示装置１の駆動モードに応じた表示パターンでＰＤＬＣパネル１１５に画像を表示することができる。
【０１７９】
本実施形態においては、このような構成により、ＰＤＬＣパネル１１５に表示される画像を自在に変更し、所望の画像を当該ＰＤＬＣパネル１１５に表示することが可能な棒状ライトの形態で使用される利便性の高い表示装置１を提供することができる。
【０１８０】
また、本実施形態においては、表示装置１の筒状部分１０の内部に配置される表示パネル１１として高分子分散型液晶表示パネルを用いることにより、前述した第１実施形態に係る構成と比較して導光板を設ける必要がないためコストを低減することができるとともに、デザイン性を向上させることが可能となる。
【０１８１】
なお、本実施形態において、ＰＤＬＣ表示パネル１１５（高分子分散型液晶表示パネル）は、例えばアクティブマトリクス方式で駆動されるものであってもよいし、パッシブマトリクス方式で駆動されるものであっても構わない。
【０１８２】
（第３実施形態）
次に、第３実施形態に係る表示装置について説明する。なお、本実施形態に係る表示装置の外観については前述した第１実施形態と同様であるため、適宜、図１を用いて説明する。
【０１８３】
本実施形態に係る表示装置１は、棒状ライトの形態で使用され、かつ、筒状部分１０の内部に高分子分散型液晶表示パネルが配置される点では前述した第２実施形態と同様であるが、当該筒状部分１０の内部に複数の高分子分散型液晶表示パネルが配置される点で当該第２実施形態とは異なる。
【０１８４】
図１６を参照して、本実施形態に係る表示装置１の構成の概略について説明する。なお、図１６は、矩形平板上の表示パネル１１の表示面に沿う方向かつ当該表示パネル１１（表示装置１）の短手方向から表示装置１を示す概略図である。
【０１８５】
図１６中の前述した図２及び図１４と同一の部分については、同一参照符号を付して、その詳しい説明を省略する。ここでは、図２及び図１４と異なる部分について主に述べる。
【０１８６】
本実施形態に係る表示装置１において、筒状部分１０の内部に配置される表示パネル１１は、第１〜第３表示パネル１１６〜１１８を含む。
【０１８７】
第１表示パネル１１６は、第１基板１１６ａと、当該第１基板１１６ａに対向配置された第２基板１１６ｂと、第１基板１１６ａ及び第２基板１１６ｂの間に形成された光変調層（図示せず）とを備える。
【０１８８】
第２表示パネル１１７は、第１基板１１７ａと、当該第１基板１１７ａに対向配置された第２基板１１７ｂと、第１基板１１７ａ及び第２基板１１７ｂの間に形成された光変調層（図示せず）とを備える。
【０１８９】
第３表示パネル１１８は、第１基板１１８ａと、当該第１基板１１８ａに対向配置された第２基板１１８ｂと、第１基板１１８ａ及び第２基板１１８ｂの間に形成された光変調層（図示せず）とを備える。
【０１９０】
すなわち、本実施形態に係る表示装置１において、筒状部分１０の内部に配置される第１〜第３表示パネル１１６〜１１８の各々は、前述した第２実施形態におけるＰＬＤＣパネル１１５と同様に、一対の透明基板の間に高分子分散型液晶（ＰＤＬＣ）を有する光変調層が配置された高分子分散型液晶表示パネルである。以下の説明においては、第１〜第３表示パネル１１６〜１１８を、便宜的に、第１〜第３ＰＤＬＣパネル１１６〜１１８と称する。
【０１９１】
なお、本実施形態において、第１〜第３ＰＤＬＣパネル１１６〜１１８は、当該第１〜第３ＰＤＬＣパネル１１６〜１１８の表示面が互いに重畳するように配置されている。
【０１９２】
一方、グリップ部分２０は、表示制御部２７を含む。表示制御部２７は、第１〜第３ＰＤＬＣパネル１１６〜１１８における画像の表示を制御する機能を有する。
【０１９３】
なお、グリップ部分２０に含まれるＬＥＤ２６は前述した第２実施形態において説明した通りであるが、本実施形態においてＬＥＤ２６は、第１〜第３ＰＤＬＣパネル１１６〜１１８の側面から光を入射可能な位置に配置されている。
【０１９４】
本実施形態に係る表示装置１においては、第１〜第３ＰＤＬＣパネル１１６〜１１８の各々に配置されている各画素（表示セル）に対して印加される電圧に応じてＬＥＤ２６から入射された光を散乱させることによって、当該第１〜第３ＰＤＬＣパネル１１６〜１１８に画像を表示することができる。
【０１９５】
また、第１〜第３ＰＤＬＣパネル１１６〜１１８を含む表示パネル１１に表示される画像は、表示装置１の駆動モードに応じて切り替えられるものとする。
【０１９６】
次に、図１７は、本実施形態に係る表示装置１のシステム構成の一例を示す。図１７に示すように、表示装置１は、第１〜第３ＰＤＬＣパネル１１６〜１１８、ＬＥＤ２６、ＬＥＤドライバ３４及び昇圧回路３５ａ〜３５ｃを備える。ＰＤＬＣパネルに印加される電圧昇圧回路３５ａ〜３５ｃで生成された昇圧電圧を用いることにより表示部のコントラストを向上させることができる。
【０１９７】
ここで、第１〜第３ＰＤＬＣパネル１１６〜１１８は光変調層の表面上に配置された電極に電圧が印加されることによって画像を表示することができるが、本実施形態における第１〜第３ＰＤＬＣパネル１１６〜１１８には、それぞれ異なる固定パターンの電極（固定電極）が配置されているものとする。また、第１〜第３ＰＤＬＣパネル１１６〜１１８は、パッシブ方式で駆動されるものとする。このような第１〜第３ＰＤＬＣパネル１１６〜１１８においては、当該第１〜第３ＰＤＬＣパネル１１６〜１１８の各々に配置された電極に電圧を印加することによって、当該電極の固定パターンに応じた画像（予め定められた画像）が表示される。
【０１９８】
第１〜第３ＰＤＬＣパネル１１６〜１１８に画像を表示する際に当該第１〜第３ＰＤＬＣパネル１１６〜１１８に光を入射するＬＥＤ２６は、ＬＥＤドライバ３４によって駆動される。
【０１９９】
なお、本実施形態においては、上記したように第１〜第３ＰＤＬＣパネル１１６〜１１８の各々に配置された電極に電圧を印加することによって画像を表示させ、当該電極に電圧を印加しないことによって画像を表示させないという制御が行われる。このため、表示装置１は、前述した第１及び第２実施形態とは異なり駆動ＩＣを備えていないが、第１〜第３ＰＤＬＣパネル１１６〜１１８に対する電圧を昇圧するための昇圧回路３５ａ〜３５ｃを備えている。
【０２００】
更に、表示装置１は、制御回路２７ａ及びメモリ２７ｂを備える。制御回路２７ａは、例えば前述したホスト装置ＨＯＳの基板上に設けられており、図１６に示す表示制御部２７に相当する。
【０２０１】
制御回路２７ａは、第１〜第３ＰＤＬＣパネル１１６〜１１８の各々に配置された電極に電圧を印加することによって画像を表示する制御を実行する。
【０２０２】
上記したように表示パネル１１に表示される画像は表示装置１の駆動モードに応じて切り替えられるが、メモリ２７ｂには、当該駆動モードに応じた第１〜第３ＰＤＬＣパネル１１６〜１１８の画像の表示パターン（表示パターン）を含む表示パターン情報が格納されている。なお、表示装置１の駆動モードは複数用意されており、メモリ２７ｂに格納されている表示パターン情報は、駆動モードの各々に応じた複数の表示パターンを示す。
【０２０３】
なお、メモリ２７ｂは、例えば制御回路２７ａと同様にホスト装置ＨＯＳに備えられていればよいが、当該ホスト装置ＨＯＳの外部に設けられていてもよい。
【０２０４】
制御回路２７ａは、メモリ２７ｂに格納されている表示パターン情報に含まれる複数の表示パターンのうち、スイッチ等の切り替え部２３に対する操作に応じて切り替えられる駆動モードに応じた表示パターンに従って、第１〜第３ＰＤＬＣパネル１１６〜１１８における画像の表示及び非表示を制御する。
【０２０５】
ここで、図１８を参照して、図１７に示すメモリ２７ｂに格納されている表示パターン情報のデータ構造の一例について説明する。
【０２０６】
なお、前述したように第１〜第３ＰＤＬＣパネル１１６〜１１８が備える光変調層は、電圧無印加状態では高い透明性を有し、電圧印加状態では散乱されて射出された光が視認される（つまり、画像が表示される）。
【０２０７】
このため、上記したように表示面がそれぞれ重畳するように第１〜第３ＰＤＬＣパネル１１６〜１１８が配置されている場合、例えば第１ＰＤＬＣパネル１１６を電圧加状態とし、第２及び第３ＰＤＬＣパネル１１７及び１１８を電圧無印加状態とした場合には、表示装置１の筒状部分１０の外部からは第１ＰＤＬＣパネル１１６に表示された画像が視認可能となる。
【０２０８】
また、例えば第２ＰＤＬＣパネル１１６を電圧印加状態とし、第１及び第３ＰＤＬＣパネル１１６及び１１８を電圧無印加状態とした場合には、表示装置１の筒状部分１０の外部からは第２ＰＤＬＣパネル１１７に表示された画像が視認可能となる。
【０２０９】
更に、例えば第３ＰＤＬＣパネル１１８を電圧印加状態とし、第１及び第２ＰＤＬＣパネル１１６及び１１７を電圧無印加状態とした場合には、表示装置１の筒状部分１０の外部からは第２ＰＤＬＣパネル１１８に表示された画像が視認可能となる。
【０２１０】
また、本実施形態において、第１〜第３ＰＤＬＣパネル１１６〜１１８は、輝度を向上させるために、それぞれ画像を単色表示するものとする。
【０２１１】
したがって、本実施形態における表示パターン情報に含まれる表示パターンは、画像を表示する表示パネル（ＰＤＬＣパネル）及び表示される画像の色の組み合わせであるものとする。
【０２１２】
この場合、図１８に示すように、メモリ２７ｂには、表示パターンとして、駆動モード、表示パネル情報及び色情報を対応づけて含む表示パターン情報が格納されている。
【０２１３】
駆動モードは表示装置１が駆動する駆動モードを表し、複数の駆動モードが予め用意されているものとする。表示パネル情報は、第１〜第３ＰＤＬＣパネル１１６〜１１８のうちの画像を表示する表示パネルを示す。色情報は、対応づけられている表示パネル情報によって示される表示パネルに表示される画像の色を示す。
【０２１４】
図１８に示す例では、メモリ２７ｂに格納されている表示パターン情報には、表示パターンとして、例えば駆動モード「１」、表示パネル情報「第１ＰＤＬＣパネル」及び色情報「Ｒ」が含まれている。この表示パターンによれば、表示装置１が駆動モード「１」で駆動する場合には、第１ＰＤＬＣパネル１１６に赤色で画像を表示することが示されている。
【０２１５】
なお、第１ＰＤＬＣパネル１１６に表示される画像は上記した当該第１ＰＤＬＣパネル１１６に配置されている電極の固定パターンに応じた画像であり、当該画像を赤色で表示する場合には、当該電極に電圧を印加して、ＬＥＤ２６に含まれる赤色ＬＥＤを発光させればよい。
【０２１６】
また、メモリ２７ｂに格納されている表示パターン情報には、表示パターンとして、例えば駆動モード「２」、表示パネル情報「第２ＰＤＬＣパネル」及び色情報「Ｇ」が含まれている。この表示パターンによれば、表示装置１が駆動モード「２」で駆動する場合には、第２ＰＤＬＣパネル１１７に緑色で画像を表示することが示されている。
【０２１７】
なお、第２ＰＤＬＣパネル１１７に表示される画像は上記した当該第２ＰＤＬＣパネル１１７に配置されている電極の固定パターンに応じた画像であり、当該画像を緑色で表示する場合には、当該電極に電圧を印加して、ＬＥＤ２６に含まれる緑色ＬＥＤを発光させればよい。
【０２１８】
更に、メモリ２７ｂに格納されている表示パターン情報には、表示パターンとして、例えば駆動モード「３」、表示パネル情報「第３ＰＤＬＣパネル」及び色情報「Ｂ」が含まれている。この表示パターンによれば、表示装置１が駆動モード「３」で駆動する場合には、第３ＰＤＬＣパネル１１８に青色で画像を表示することが示されている。
【０２１９】
なお、第３ＰＤＬＣパネル１１８に表示される画像は上記した当該第３ＰＤＬＣパネル１１８に配置されている電極の固定パターンに応じた画像であり、当該画像を青色で表示する場合には、当該電極に電圧を印加して、ＬＥＤ２６に含まれる青色ＬＥＤを発光させればよい。
【０２２０】
なお、図１８においては、駆動モード「１」〜「３」についてのみが示されているが４つ以上の駆動モードが用意されていてもよいし、駆動モードは例えば２つであってもよい。また、図１８においては駆動モードに応じて１つの表示パネル（第１〜第３ＰＤＬＣパネル１１６〜１１８のうちの１つ）に画像が表示される場合について説明したが、例えば当該第１〜第３ＰＤＬＣパネル１１６〜１１８のうちの２つ以上に画像を表示させる（つまり、画像を重ねて表示する）表示パターンがあってもよい。また、各モードにおいて表示される色情報は赤（Ｒ）、緑（Ｇ）、青（Ｂ）の単色以外に複数の原色を組み合わせた色を適宜設定可能である。
【０２２１】
また、本実施形態における表示パターンとしては上記したように画像を表示する表示パネルと当該表示パネルに表示される画像の色との組み合わせに関するパターンを想定しているが、当該表示パターンは、例えば画像の表示態様に関するパターン（例えば、点滅で表示するパターンまたは色彩が異なるパターン等）であってもよい。
【０２２２】
なお、本実施形態に係る表示装置１の動作については、第１〜第３ＰＤＬＣパネル１１６〜１１８の各々に画像を表示する点以外は、前述した図６及び図７等において説明した通りであるため、ここではその詳しい説明を省略する。
【０２２３】
ここで、図１９〜図２２を参照して、本実施形態に係る表示装置１における表示パネル１１（第１〜第３ＰＤＬＣパネル１１６〜１１８）の表示態様について具体的に説明する。なお、メモリ２７ｂには、上記した図１８に示す表示パターン情報が格納されているものとする。
【０２２４】
図１９は、第１〜第３ＰＤＬＣパネル１１６〜１１８の各々に配置されている電極の固定パターンに応じて、第１〜第３ＰＤＬＣパネル１１６〜１１８の各々に表示される画像の一例を示している。
【０２２５】
この場合において、例えば表示装置１が駆動モード「１」で駆動している状態では、第１ＰＤＬＣパネル１１６には赤色で画像が表示されるが、第２及び第３ＰＤＬＣパネル１１７及び１１８には画像は表示されない。これによれば、表示装置１の筒状部分１０の外部からは、図２０に示すように第１ＰＤＬＣパネル１１６に赤色で表示された画像が視認される。
【０２２６】
一方、例えば表示装置１が駆動モード「２」で駆動している状態では、第２ＰＤＬＣパネル１１７には緑色で画像が表示されるが、第１及び第３ＰＤＬＣパネル１１６及び１１８には画像は表示されない。これによれば、表示装置１の筒状部分１０の外部からは、図２１に示すように第２ＰＤＬＣパネル１１７に緑色で表示された画像が視認される。
【０２２７】
更に、例えば表示装置１が駆動モード「３」で駆動している状態では、第３ＰＤＬＣパネル１１８には青色で画像が表示されるとともに、第１及び第２ＰＤＬＣパネル１１７及び１１８には画像は表示されない。これによれば、表示装置１の筒状部分１０の外部からは、図２２に示すように第３ＰＤＬＣパネル１１８に青色で表示された画像が視認される。
【０２２８】
上記したように本実施形態においては、例えば予め定められた画像を表示するための固定パターンの電極が配置され、パッシブ方式により駆動される第１〜第３ＰＤＬＣパネル１１６〜１１８が筒状部分１０の内部に重畳するように配置され、切り替え部２３に対する操作に応じた表示パターンに従って第１〜第３ＰＤＬＣパネル１１６〜１１８に画像が表示される。
【０２２９】
本実施形態においては、このような構成により、例えば画像を表示する表示パネル（第１〜第３ＰＤＬＣ１１６〜１１８）を自在に変更し、所望の画像が視認されるようにすることが可能となるため、棒状ライトの形態で使用される利便性の高い表示装置１を提供することができる。また、本実施形態においては、第１〜第３ＰＤＬＣパネル１１６〜１１８に異なる画像を表示させることによって、表示装置１のデザイン性及び表現性を向上させることが可能となる。
【０２３０】
なお、本実施形態においては、上記したように固定パターンの電極が配置されることにより、例えば第１〜第３ＰＤＬＣパネル１１６〜１１７の表示領域全体に電極が配置されている構成と比較して、ＬＥＤ２６から第１〜第３ＰＤＬＣパネル１１６〜１１８に入射される光の利用効率を向上させることが可能となる。
【０２３１】
同様に、本実施形態においては、第１〜第３ＰＤＬＣパネル１１６〜１１８においてパッシブ方式を採用することにより、ＰＤＬＣパネルへの電圧印加はオンとオフの制御を行うだけでよく、制御回路がアクティブ方式を採用した場合と比べて簡素化できる。
【０２３２】
なお、本実施形態においては固定パターンの電極が配置されることによって第１〜第３ＰＤＬＣパネル１１６〜１１８において予め定められた画像が表示されるものとして説明したが、当該第１〜第３ＰＤＬＣパネル１１６〜１１８の少なくとも一部または全てがアクティブ方式で駆動されても構わない。
【０２３３】
なお、上記したように表示装置１の筒状部分１０の内部に第１〜第３ＰＤＬＣパネル１１６〜１１８（つまり、３つの表示パネル）が配置されている場合においては、当該第１〜第３ＰＤＬＣパネル１１６〜１１８のうち、当該第１〜第３ＰＤＬＣパネル１１６〜１１８が重畳する方向の両端に位置する表示パネル（つまり、第１及び第３ＰＤＬＣパネル１１６及び１１８）はアクティブ方式により駆動され、当該表示パネル以外の表示パネル（つまり、第２ＰＤＬＣパネル１１７）はパッシブ方式により駆動されるようにしてもよい。これによれば、上記したアクティブ方式を採用した場合に形成される回路等が表示パネル１１（第１〜第３ＰＤＬＣパネル１１６〜１１８）の中心近傍に配置されることによる光の減衰を抑制することができる。
【０２３４】
なお、本実施形態においては第１〜第３ＰＤＬＣパネル１１６〜１１８（つまり、３つの表示パネル）が表示装置１の筒状部分１０の内部に配置されるものとして説明したが、当該筒状部分１０の内部に配置される表示パネル（ＰＤＬＣパネル）の数は２つであってもよいし、４つ以上であってもよい。
【０２３５】
また、本実施形態においては、第１〜第３ＰＤＬＣパネル１１６〜１１８において画像を単色表示するものとして主に説明したが、当該画像は上述したフィールドシーケンシャル駆動によりカラー表示されても構わない。
【０２３６】
一方、例えば第１〜第３ＰＤＬＣパネル１１６〜１１８に例えば赤色等の同じ色で画像を表示する構成であれば、ＬＥＤ２６は赤色ＬＥＤのみを含むようにしてもよい。ここでは第１〜第３ＰＤＬＣパネル１１６〜１１８に赤色の画像を表示する場合について説明したが、他の色の画像を表示する場合も同様である。
【０２３７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【０２３８】
１…表示装置、１０…筒状部分、１１…表示パネル、１１１…第１液晶パネル、１１２…第２液晶パネル、１１３…第３液晶パネル、１１４…第４液晶パネル、１１５…ＰＤＬＣパネル、１１６…第１ＰＤＬＣパネル、１１７…第２ＰＤＬＣパネル、１１８…第３ＰＤＬＣパネル、２０…グリップ部分、２１，２５，２７…表示制御部、２１ａ，２５ａ，２７ａ…制御回路、２１ｂ，２５ｂ，２７ｂ…メモリ、２２ａ，２２ｂ，６…ＬＥＤ、２３…切り替え部（スイッチ）、２４…電力供給部、３１ａ，３１ｂ，３３…駆動ＩＣ、３２ａ，３２ｂ，３４…ＬＥＤドライバ、３５ａ，３５ｂ，３５ｃ…昇圧回路。
【図１】
2020012877.tif 000003
【図２】
2020012877.tif 000004
【図３】
2020012877.tif 000005
【図４】
2020012877.tif 000006
【図５】
2020012877.tif 000007
【図６】
2020012877.tif 000008
【図７】
2020012877.tif 000009
【図８】
2020012877.tif 000010
【図９】
2020012877.tif 000011
【図１０】
2020012877.tif 000012
【図１１】
2020012877.tif 000013
【図１２】
2020012877.tif 000014
【図１３】
2020012877.tif 000015
【図１４】
2020012877.tif 000016
【図１５】
2020012877.tif 000017
【図１６】
2020012877.tif 000018
【図１７】
2020012877.tif 000019
【図１８】
2020012877.tif 000020
【図１９】
2020012877.tif 000021
【図２０】
2020012877.tif 000022
【図２１】
2020012877.tif 000023
【図２２】
2020012877.tif 000024